(57)【要約】【課題】版胴のプリセット作業を人手によらず精度良くかつ迅速に行うことができる版胴システムおよび版胴のプリセット方法を提供する。【解決手段】予め入力された版胴１１の版胴幅に基づいて、画像センサ１３を版胴近傍における軸線方向の所定位置までもってくる。次に予め入力された版胴１１の周長に基づいて、画像センサ１３の焦点を合わせる。次に版胴１１を駆動機構１５により回転させ、画像センサ１３により、版胴１１に設けられたプリセットマーク１２を検出する。画像センサ１３からの信号に基づいて、版胴１１の円周方向のプリセット位置を定める。【選択図】  図１
2004255667.tif 000002
【特許請求の範囲】
【請求項１】
プリセットマークが設けられた版胴と、版胴を回転方向及び軸線方向に移動させる駆動機構とを備えた版胴システムにおいて、画像センサを用いて版胴のプリセットを行う版胴のプリセット方法において、
予め入力された版胴の版胴幅に基づいて、画像センサを版胴近傍における軸線方向の所定位置までもってくる工程と、
予め入力された版胴の周長に基づいて画像センサの拡大率及び焦点を合わせる工程と、
版胴を駆動機構により回転させて、画像センサによりプリセットマークを検出する工程と、
画像センサからの信号に基づいて、版胴の円周方向のプリセット位置を定める工程と、
を備えたことを特徴とする版胴のプリセット方法。
【請求項２】
画像センサによりプリセットマークを検出する際、版胴を駆動機構により軸線方向に移動させることを特徴とする請求項１記載の版胴のプリセット方法。
【請求項３】
画像センサによりプリセットマークを検出する際、画像センサをセンサ駆動部により軸線方向に移動させることを特徴とする請求項１記載の版胴のプリセット方法。
【請求項４】
プリセットマークは版胴に設けられた見当マークからなることを特徴とする請求項１記載の版胴のプリセット方法。
【請求項５】
プリセットマークが設けられた版胴と、
版胴を回転方向および軸線方向に移動させる駆動機構と、
版胴のプリセットマークを検出する画像センサと、
駆動機構と画像センサを各々制御する制御装置とを備え、
制御装置は予め入力された版胴の版胴幅に基づいて、画像センサを版胴近傍における軸線方向の所定位置までもってくるとともに、予め入力された版胴の周長に基づいて画像センサの拡大率及び焦点を合わせ、版胴を駆動機構により回転させて画像センサによりプリセットマークを検出するとともに、画像センサからの信号に基づいて版胴の円周方向のプリセット位置を定めることを特徴とする版胴システム。
【発明の詳細な説明】
【０００１】
【発明の属する技術分野】
本発明は多色印刷を行う版胴システムおよび版胴のプリセット方法に係り、とりわけ版胴システムにおいて精度よく版胴のプリセットを行うことができる版胴システムおよび版胴のプリセット方法に関する。
【０００２】
【従来の技術】
まず従来の版胴システムについて、図２により説明する。図２に示すように版胴システム１０は、複数の版胴１１を有し多色印刷を行うようになっている。
【０００３】
各版胴１１はフレーム１８，１８により支持されており、また駆動機構２１により回転駆動される。すなわち図２に示す版胴システム１０においては、各版胴１１が各々独立した駆動機構２１により駆動されるため、各版胴１１に関し、円周方向のプリセットを精度良く行う必要がある。
【０００４】
このようなプリセットは、次のように行われる。まず、版胴１１上に設けられたプリセットマーク１２がレーザポインタ２２からの光に一致するまで版胴１１を手動にて回転させ、プリセットマーク１２とレーザポインタ２２からの光が一致したところでゼロ点記憶ボタン２３を押す。
【０００５】
このような円周方向のプリセットを各版胴１１について順次行って、各版胴１１のゼロ点位置を一致させる。このようにして版胴システムのプリセットが終了する。
【０００６】
【発明が解決しようとする課題】
版胴システムのプリセットは、上述のように、各版胴について手動にて順次行われているため、作業者の経験により精度が異なることがある。また作業者が手動にて版胴を回転させるため、プリセット作業に長時間がかかることがある。
【０００７】
本発明はこのような点を考慮してなされたものであり、迅速かつ精度良く版胴のプリセットを行うことができる版胴システムおよび版胴のプリセット方法を提供することを目的とする。
【０００８】
【課題を解決するための手段】
本発明は、プリセットマークが設けられた版胴と、版胴を回転方向及び軸線方向に移動させる駆動機構とを備えた版胴システムにおいて、画像センサを用いて版胴のプリセットを行う版胴のプリセット方法において、予め入力された版胴の版胴幅に基づいて、画像センサを版胴近傍における軸線方向の所定位置までもってくる工程と、予め入力された版胴の周長に基づいて画像センサの拡大率及び焦点を合わせる工程と、版胴を駆動機構により回転させて、画像センサによりプリセットマークを検出する工程と、画像センサからの信号に基づいて、版胴の円周方向のプリセット位置を定める工程と、を備えたことを特徴とする版胴のプリセット方法である。
【０００９】
本発明は、画像センサによりプリセットマークを検出する際、版胴を駆動機構により軸線方向に移動させることを特徴とする版胴のプリセット方法である。
【００１０】
本発明は、画像センサによりプリセットマークを検出する際、画像センサをセンサ駆動部により軸線方向に移動させることを特徴とする版胴のプリセット方法である。
【００１１】
本発明は、プリセットマークは版胴に設けられた見当マークからなることを特徴とする版胴のプリセット方法である。
【００１２】
本発明は、プリセットマークが設けられた版胴と、版胴を回転方向および軸線方向に移動させる駆動機構と、版胴のプリセットマークを検出する画像センサと、駆動機構と画像センサを各々制御する制御装置とを備え、制御装置は予め入力された版胴の版胴幅に基づいて、画像センサを版胴近傍における軸線方向の所定位置までもってくるとともに、予め入力された版胴の周長に基づいて画像センサの拡大率及び焦点を合わせ、版胴を駆動機構により回転させて画像センサによりプリセットマークを検出するとともに、画像センサからの信号に基づいて版胴の円周方向のプリセット位置を定めることを特徴とする版胴システムである。
【００１３】
【発明の実施の形態】
以下、図面を参照して本発明の実施の形態について説明する。
【００１４】
図１は本発明の一実施の形態を示す図である。図１に示すように、版胴システム１０は多色印刷を行うものであり、プリセットマーク１２が設けられた複数の版胴１１と、各版胴１１を支持するフレーム１８，１８と、各版胴１１を回転駆動する駆動モータ１５と、版胴１１および駆動モータ１５を軸線方向に移動させる軸線方向駆動部２１ａとを備えている。
【００１５】
このうち駆動モータ１５と軸線方向駆動部２１ａとにより駆動機構１５，２１ａが構成され、また軸線方向駆動部２１ａはボールネジおよびモータとを有するサイドレ機構からなっている。
【００１６】
さらに、版胴１１の近傍には、版胴１１のプリセットマーク１２を検出する画像センサ１３が設置され、この画像センサ１３はセンサ駆動部１６により版胴１１の軸線方向に移動可能となっている。さらに画像センサ１３は拡大率及び焦点調節機能を内蔵している。
【００１７】
さらに駆動モータ１５には、駆動モータ１５の回転方向位置を検出するエンコーダ１７が取り付けられており、駆動モータ１５、エンコーダ１７、画像センサ１３および軸線方向駆動部２１ａには制御装置２０が接続されている。
【００１８】
次に版胴のプリセット方法について説明する。まず制御装置２０内に版胴１１に関する情報、例えば版胴１１の版胴幅および周長が入力される。
【００１９】
次に制御装置２０は版胴１１の版胴幅に基づいて、画像センサ１３を版胴１１近傍における軸線方向の所定位置までもってくる。この場合、制御装置２０はセンサ駆動部１６を駆動制御して画像センサ１３を移動させる。
【００２０】
次に制御装置２０は、版胴１１の周長に基づいて、画像センサ１３の拡大率及び焦点を合わせる。すなわち版胴１１の周長が異なると、プリセットマーク１２と画像センサ１３との間の距離が変化するため、画像センサ１３により撮像されるプリセットマーク１２の大きさが異なる。
【００２１】
この場合、画像センサ１３により検出されたプリセットマーク１２を誤ったマークとして判断しないよう、画像センサ１３は拡大率及び焦点調節機能を内蔵してプリセットマーク１２の拡大率と焦点を合わせて常に同一の大きさのプリセットマーク１２を検出するようになっている。
【００２２】
その後、制御装置２０は駆動モータ１５を回転駆動して、版胴１１を低速で回転させながら、画像センサ１３によりプリセットマーク１２を検出する。この場合、軸線方向駆動部２１ａにより版胴１１を軸線方向に移動させる。
【００２３】
このようにしてプリセットマーク１２の軸線方向位置と画像センサ１３の軸線方向位置が多少ずれていても、画像センサ１３によりプリセットマーク１２を精度良く検出することができる。
【００２４】
制御装置２０は、画像センサ２０がプリセットマーク１２を検出した場合、この位置を版胴１１のプリセット位置として定める。同時にこのプリセット位置とエンコーダ１７からの駆動モータ１５の回転方向位置とを対応させて、当該版胴１１に関するプリセットが終了する。その後、制御装置２０は駆動モータ１５を停止する。
【００２５】
このようなプリセット作業をすべての版胴１１に対して行うことにより、版胴システムのプリセット作業が終了する。
【００２６】
以上のように本実施の形態によれば、版胴システムのプリセット作業を人手によらず行うことができ、迅速かつ精度良く版胴システムのプリセット作業を行うことができる。
【００２７】
なお、上記実施の形態において説明した版胴１１上のプリセットマーク１２として、各版胴１１上に設けられ各版胴１１間における印刷物の見当合わせを行う見当マークを用いても良い。一般に見当マークは版胴１１の軸線方向内方に設けられているため、画像センサ１３を版胴１１の比較的内方に設置することができる。
【００２８】
また見当マークを検出する見当マークセンサ（図示せず）を本画像センサと一体化すれば、見当マークの軸線方向の位置決め作業を画像マーク１３からの検出信号に基づいて容易に行うことができる。
【００２９】
【発明の効果】
以上のように本発明によれば、版胴システムの版胴のプリセット作業を人手によらずに行うことができ、迅速かつ精度良く版胴システムのプリセット作業を行うことができる。
【図面の簡単な説明】
【図１】本発明による版胴システムを示す概略図。
【図２】従来の版胴システムを示す概略図。
【符号の説明】
１０  版胴システム
１１  版胴
１２  プリセットマーク
１３  画像センサ
１５  駆動モータ
１６  センサ駆動部
１７  エンコーダ
１８  フレーム
２０  制御装置
２１ａ  軸線方向駆動部
【図１】
2004255667.tif 000003
【図２】
2004255667.tif 000004